(57)【要約】【課題】音漏れ比率を複数設定しておきメニュー機能で選択する手法では、ユーザは音漏れを或る程度低減出来るが、全てのユーザが十分に音漏れを低減出来るとはいえなかった。また、ユーザが使用するヘッドフォンや延長コードを使用した場合の音漏れ比率を、設定されている複数の音漏れ比率の中からユーザ自身が選択し設定を行う必要があった。【解決手段】本発明では、計測手段（Ａ／Ｄ変換器１ａ，１ｂ）において第１チャンネルオーディオ信号または第２チャンネルオーディオ信号の少なくとも何れかの音漏れ量を計測することができるので、この計測結果に基づき音漏れ低減のための処理を行うことができる。【選択図】図４
2008098737.tif 000002
【特許請求の範囲】
【請求項１】
第１チャンネルオーディオ信号の入力端子と、第２チャンネルオーディオ信号の入力端子と、上記第１チャンネルオーディオ信号および上記第２チャンネルオーディオ信号に対して共通の接地端子とを備える３極端子と、上記第１チャンネルオーディオ信号の入力端子に接続され上記第１チャンネルオーディオ信号を出力する第１出力ユニットと、上記第２チャンネルオーディオ信号の入力端子に接続され上記第２チャンネルオーディオ信号を出力する第２出力ユニットと、を備えるオーディオ信号出力装置と接続されるオーディオ再生装置であって、
上記オーディオ信号出力装置と上記３極端子を介して接続するための接続手段と、
第１チャンネルオーディオデータおよび第２チャンネルオーディオデータを含むオーディオコンテンツデータを記憶する記憶手段と、
上記オーディオコンテンツデータを再生する再生手段と、
上記再生手段により再生された上記オーディオコンテンツデータに含まれる上記第１チャンネルオーディオデータを上記第１チャンネルオーディオ信号に変換する第１の変換手段と、
上記再生手段により再生された上記オーディオコンテンツデータに含まれる上記第２チャンネルオーディオデータを上記第２チャンネルオーディオ信号に変換する第２の変換手段と、
上記第１チャンネルオーディオ信号を上記第１出力ユニットによって出力することによる上記第２出力ユニットにおける音漏れ量、または、上記第２チャンネルオーディオ信号を上記第２出力ユニットによって出力することによる上記第１出力ユニットにおける音漏れ量の、少なくとも何れかを計測する計測手段と、
を備えたことを特徴とするオーディオ再生装置。
【請求項２】
上記計測手段の計測結果に基づいて上記第２チャンネルオーディオデータを低減した第２低減オーディオデータを上記第１チャンネルオーディオデータに加算する為の処理、または、上記計測手段の計測結果に基づいて上記第１チャンネルオーディオ信号を低減した第１低減オーディオデータを上記第２チャンネルオーディオデータに加算する為の処理、の少なくとも何れかを自動音漏れ低減調整処理として実行する制御手段をさらに備える、
ことを特徴とする請求項１に記載のオーディオ再生装置。
【請求項３】
上記計測手段は、
上記接続手段における上記第１チャンネルオーディオ信号の出力端子に得られるオーディオ信号または上記接続手段における上記第２チャンネルオーディオ信号の出力端子に得られるオーディオ信号を入力可能なＡ／Ｄ変換器を備え、上記第２出力ユニットにおける音漏れ量または上記第１出力ユニットにおける音漏れ量を上記Ａ／Ｄ変換器により計測する、
ことを特徴とする請求項１に記載のオーディオ再生装置。
【請求項４】
さらに、外部からのオーディオ信号を入力する入力端子を備え、
上記計測手段における上記Ａ／Ｄ変換器は、上記入力端子からのオーディオ信号も入力可能に構成される、
ことを特徴とする請求項３に記載のオーディオ再生装置。
【請求項５】
上記制御手段は、所定の操作に基づいて、上記自動音漏れ低減調整処理を実行することを特徴とする請求項２に記載のオーディオ再生装置。
【請求項６】
上記制御手段は、電源がＯＮになったことに応じて上記自動音漏れ低減調整処理を行うことを特徴とする請求項２に記載のオーディオ再生装置。
【請求項７】
さらに上記接続手段に対する上記３極端子の接続を検出する接続検出手段を備え、
上記制御手段は、
上記接続検出手段の検出結果に基づき上記自動音漏れ低減調整処理を行うことを特徴とする請求項２に記載のオーディオ再生装置。
【請求項８】
上記制御手段は、上記自動音漏れ低減調整処理として、
計測用オーディオデータを上記第１の変換手段に供給して上記計測用オーディオデータに基づく計測用オーディオ信号を上記第１出力ユニットにより出力させ、これに応じ上記計測手段により計測される上記第２出力ユニットにおける音漏れ量を取得し、この取得した音漏れ量に基づいて上記第２チャンネルオーディオデータを低減した第２低減オーディオデータを上記第１チャンネルオーディオデータに加算する為の処理、または、上記計測用オーディオデータを上記第２の変換手段に供給して上記計測用オーディオデータに基づく計測用オーディオ信号を上記第２出力ユニットにより出力させ、これに応じ上記計測手段により計測される上記第１出力ユニットにおける音漏れ量を取得し、この取得した音漏れ量に基づいて上記第１チャンネルオーディオデータを低減した第１低減オーディオデータを上記第２チャンネルオーディオデータに加算する為の処理、の少なくとも一方を実行する、
ことを特徴とする請求項２に記載のオーディオ再生装置。
【請求項９】
第１チャンネルオーディオ信号の入力端子と、第２チャンネルオーディオ信号の入力端子と、上記第１チャンネルオーディオ信号および上記第２チャンネルオーディオ信号に対して共通の接地端子とを備える３極端子と、上記第１チャンネルオーディオ信号の入力端子に接続され上記第１チャンネルオーディオ信号を出力する第１出力ユニットと、上記第２チャンネルオーディオ信号の入力端子に接続され上記第２チャンネルオーディオ信号を出力する第２出力ユニットを備えるオーディオ信号出力装置と接続されるオーディオ再生装置として、上記オーディオ信号出力装置と上記３極端子を介して接続するための接続手段と、第１チャンネルオーディオデータおよび第２チャンネルオーディオデータを含むオーディオコンテンツデータを記憶する記憶手段と、上記オーディオコンテンツデータを再生する再生手段と、上記再生手段により再生された上記オーディオコンテンツデータに含まれる上記第１チャンネルオーディオデータを上記第１チャンネルオーディオ信号に変換する第１の変換手段と、上記再生手段により再生された上記オーディオコンテンツデータに含まれる上記第２チャンネルオーディオデータを上記第２チャンネルオーディオ信号に変換する第２の変換手段と、上記第１チャンネルオーディオ信号を上記第１出力ユニットによって出力することによる上記第２出力ユニットにおける音漏れ量、または、上記第２チャンネルオーディオ信号を上記第２出力ユニットによって出力することによる上記第１出力ユニットにおける音漏れ量の、少なくとも何れかを計測する計測手段と、制御手段と、を備えるオーディオ再生装置において実行されるべきプログラムであって、
上記計測手段の計測結果に基づいて上記第２チャンネルオーディオデータを低減した上記第２低減オーディオデータを上記第１チャンネルオーディオデータに加算する為の処理、または、上記計測手段の計測結果に基づいて上記第１チャンネルオーディオデータを低減した上記第１低減オーディオデータを上記第２チャンネルオーディオデータに加算する為の処理、の少なくとも何れかを上記自動音漏れ低減調整処理として上記制御手段に実行させる、
ことを特徴とするプログラム。
【発明の詳細な説明】
【技術分野】
【０００１】
本発明は、オーディオ再生装置とプログラムに関する。
【背景技術】
【０００２】
【特許文献１】実開平６−６２６２２号公報
【０００３】
現在、広く普及している携帯型等のオーディオ再生装置には、３極端子を用いたヘッドフォンが一般的に利用されている。
図６は、オーディオ再生装置とこれに接続されるヘッドフォンのブロック図である。
まず、ヘッドフォン側には、Ｌチャンネル（ｃｈ）端子とＲチャンネル（ｃｈ）端子と、Ｌ／Ｒの両ｃｈに流れる信号が帰還するＬｃｈ／Ｒｃｈ共通のグランド端子の３つの端子がある。
Ｌｃｈ端子に対しては、抵抗ＲＸＬを介してスピーカ部ＨＬが接続されている。更に、上記スピーカ部ＨＬには、抵抗ＲＹＬと抵抗ＲＣＯＭとを介してＲｃｈと共通のグランド端子が接続されている。
Ｒｃｈ端子に対しては、抵抗ＲＸＲを介してスピーカ部ＨＲが接続されている。更に、上記スピーカ部ＨＲには、直抵抗ＲＹＲと上記抵抗ＲＣＯＭとを介して上記グランド端子が接続されている。
【０００４】
オーディオ再生装置側においては、ヘッドフォン側と同様にＬｃｈ端子／Ｒｃｈ端子／グランド端子の３端子がある。
また、ＬｃｈとＲｃｈの２つの音声信号の入力源（信号源）がある。
この信号源からの出力音声信号は、図示するようにしてそれぞれアナログアンプ部２１ａ，２１ｂを介してＬｃｈ端子，Ｒｃｈ端子に供給される。さらに、グランド端子は、例えばフェライトビーズなどとされる抵抗ＲＺＣを介してアースに接地されている。
【０００５】
この図６では、オーディオ再生装置とヘッドフォンとが３端子接続される一般的な構成を示したが、このような構成では、Ｌｃｈ／Ｒｃｈ間における音漏れの問題がおこる。
例えば、Ｒｃｈには、信号が全く流れておらず無音であるとした場合に、Ｌｃｈに、信号Ｌを流したとする。この信号Ｌのヘッドフォン側の流れとしては、Ｌｃｈ端子→抵抗ＲＸＬ→スピーカ部ＨＬの経路で流れ、このスピーカ部ＨＬにおいて音波を発生させた後、抵抗ＲＹＬと抵抗ＲＣＯＭの接続点Ｘに達する。この接続点Ｘは、Ｒｃｈ側とも接続されているため、信号Ｌより接続点ＸからＲｃｈへ音漏れ量が流れ込み、音漏れがおこる。その結果、無音であるはずのＲｃｈのスピーカ部ＨＲから音波が発生してしまうことになるのである。
なお、ＬｃｈとＲｃｈの動作を逆にして行ったとしても同様に、信号を流したｃｈとは反対のｃｈに音漏れが発生する。
【０００６】
ここで、このようにＲｃｈ側に音漏れが発生する要因としては、Ｌｃｈ／Ｒｃｈの両ｃｈからの信号を帰還させるグランド端子を共通としている３端子の構成をとっているからであり、また、ヘッドフォン側のグランド端子に抵抗ＲＣＯＭが、オーディオ再生装置側のグランド端子に抵抗ＲＺＣが接続されているためである。
この抵抗ＲＣＯＭの抵抗値が０Ωの場合であって、さらに抵抗ＲＺＣ自体が接続されていないか、若しくは抵抗ＲＺＣの抵抗値が０Ωの場合には、Ｌｃｈ／Ｒｃｈの両ｃｈでグランド端子を共通としていても、片側ｃｈに流れる信号は反対ｃｈに音漏れ信号を発生させることなくグランド端子へ帰還していき、音漏れを発生させることはない。
しかし、抵抗ＲＣＯＭは、ヘッドフォン側のグランド端子とオーディオ再生装置側のグランド端子の接触抵抗によって微少ながらも発生し得る。また、抵抗ＲＺＣは、高周波を減衰させるためにオーディオ再生装置に用いられており、この抵抗ＲＺＣがないとアナログアンプ部２１ａ，２１ｂが破損してしまう可能性があるので、オーディオ再生装置には必要とされる素子である。
【０００７】
このような音漏れを制御するために、先に本出願人は図７に示す構成を提案している。
まず、図７において、Ｌｃｈ／Ｒｃｈの両ｃｈに流す信号とその音漏れ量の比率を、音漏れ比率１／Ｍとして表す。また、この音漏れ比率１／ＭはＬｃｈ／Ｒｃｈの両ｃｈで等価であるとして説明していく。
この図７に示すオーディオ再生装置には、図６のオーディオ再生装置の構成にＬｃｈ／Ｒｃｈの両ｃｈの音漏れ比率１／Ｍと等価の利得を持ったアナログアンプ部１４ａ，１４ｂが追加されている。
【０００８】
アナログアンプ部１４ａは、信号源Ｌとアナログアンプ部１３ａの接続点に接続され、その接続点からアナログアンプ部１４ａを介してＲｃｈ端子に接続されている。そして、アナログアンプ部１４ｂは、信号源Ｒと接続され、この信号源Ｒはアナログアンプ部１４ｂを介してＬｃｈ端子と接続されている。
また、ヘッドフォン側の構成は図６に示したヘッドフォン側の構成と同じであるので、ここでの説明は省略する。
このような構成のオーディオ再生装置において、例えば、アナログアンプ部１４ａの利得と、Ｌｃｈに流れる信号Ｌとを掛け合わせることにより、Ｒｃｈに発生する音漏れ量と等価の音漏れ消去信号Ｌｃをオーディオ再生装置側のＲｃｈ端子に予め加算することが出来る。そうすることによって、Ｌｃｈに信号Ｌが流れ接続点ＸよりＲチャンネルに音漏れ量が発生したとしても、これを打ち消す音漏れ消去信号ＬｃがＲ端子に生じるので、音漏れ量と音漏れ消去信号Ｌｃが互いに打ち消し合い、スピーカ部ＨＲには音漏れによる音波が発生することが殆どなく、音漏れを低減することができる。
Ｌｃｈ側において音漏れを低減する場合も、上述した動作をアナログアンプ部１４ｂを用いて、Ｌｃｈ／Ｒｃｈ逆の動作を行えば音漏れを低減することができる。
【０００９】
しかしながら、このような音漏れ低減の構成は以下のような問題を有している。つまり、図７の構成では、アナログ素子や回路を用いて音漏れ低減を実現したものであるので、素子のばらつきによって特性が安定化しない場合などがある。また、上述した図７においては、アナログアンプ部などの新規回路の追加が必須であり、この新規回路の追加によって回路全体に影響を与え、算出した音漏れ比率では十分な音漏れ低減が出来ない可能性も生じてしまう。また、このような追加が必要であると部品コストが増大し、追加素子（回路）分の消費電力の増大や回路規模の増大を招くといった問題もある。
【００１０】
そこで、次の図８に示すようにして、図７におけるアナログアンプ部１４ａ，１４ｂの機能をデジタル信号処理により実現することで、アナログ素子を追加しなくても音漏れを低減することが出来るようにした。つまり、この図８に示すＤ−Ｂｌｏｃｋ２０において、図７で行っていたＬｃｈ／Ｒｃｈの両ｃｈに音漏れ消去信号（データ）を加算する積和演算を、デジタル信号処理によって行うものである。
【００１１】
図８のオーディオ再生装置の構成としては、上記Ｄ−Ｂｌｏｃｋ２０とＤ／Ａ変換器１９ａ，１９ｂとアナログアンプ部１５ａ，１５ｂとＬｃｈ／Ｒｃｈ／グランドの各端子と抵抗ＲＺＣが備えられている。
まず、Ｌｃｈオーディオデータは、上記Ｄ−Ｂｌｏｃｋ２０に供給される。そして上記Ｄ−Ｂｌｏｃｋ２０からＤ／Ａ変換器１９ａとアナログアンプ部１５ａを介してＬｃｈ端子へ供給される。
また、Ｒｃｈオーディオデータは、まず上記Ｄ−Ｂｌｏｃｋ２０に供給される。そして上記Ｄ−Ｂｌｏｃｋ２０からＤ／Ａ変換器１９ｂとアナログアンプ部１５ｂを介してＲｃｈ端子へ供給される。
さらに、グランド端子に対しては、抵抗ＲＺＣを介してアースが接地されている。
【００１２】
そして、上記Ｄ−Ｂｌｏｃｋ２０内には、音漏れ低減用乗算器１６ａ，１６ｂとオーバーフロー防止用乗算器１７ａ、１７ｂと加算器１８ａ，１８ｂが備えられている。なお、これらＤ−Ｂｌｏｃｋ２０内の構成についは、便宜上、ハードウェアにより示しているが、実際には、これらの機能はデジタル信号処理により実現されるものである。
【００１３】
まず、Ｌｃｈオーディオデータは、オーバーフロー防止用乗算器１７ａに供給される。このオーバーフロー防止用乗算器１７ａは、Ｌｃｈオーディオデータに係数１−１／Ｍを乗算する。これは、Ｌｃｈオーディオデータに音漏れ消去信号を加算すると１＋１／Ｍとなり、デジタル領域でオーバーフローをおこす危険性があるためである。すなわち、予め１−１／Ｍを乗算しておき、Ｌｃｈオーディオデータに音漏れ消去信号が加算された後の利得が１になるようにすることで、オーバーフローを防止するものである。Ｌｃｈオーディオデータは、このようにオーバーフロー防止用乗算器１７ａにおいて係数１−１／Ｍが乗算された後、加算器１８ａへ供給される。
【００１４】
また、Ｌｃｈオーディオデータは、上記オーバーフロー防止用乗算器１７ａに供給されると共に、分岐して音漏れ低減用乗算器１６ｂにも供給される。この音漏れ低減用乗算器１６ｂは、図７におけるアナログアンプ部１４ａに相当し、Ｌｃｈオーディオデータの音漏れ比率と等価の利得を、Ｌｃｈオーディオデータに乗算し、Ｌｃｈオーディオデータの音漏れ量と等価の音漏れ消去信号を加算器１８ｂへ供給する。
【００１５】
また、Ｒｃｈオーディオデータは、まず、オーバーフロー防止用乗算器１７ｂへ供給される。このオーバーフロー防止用乗算器１７ｂにおいては、上述したオーバーフロー防止用乗算器１７ａと同様にオーバーフロー防止のための処理が行われる。そして、Ｒｃｈオーディオデータは、上記オーバーフロー防止用乗算器１７ｂを介して加算器１８ｂへ供給される。
また、Ｒｃｈオーディオデータは、上記オーバーフロー防止用乗算器１７ｂに供給されると共に、分岐して音漏れ低減用乗算器１６ａに供給される。この音漏れ低減用乗算器１６ａは、図７におけるアナログアンプ部１４ｂに相当し、Ｒｃｈオーディオデータの音漏れ比率と等価の利得を、Ｒｃｈオーディオデータに乗算し、Ｒｃｈオーディオデータの音漏れ量と等価の音漏れ消去信号を加算器１８ａへ供給する。
【００１６】
そして、上記加算器１８ａは、オーバーフロー防止用乗算器１７ａから供給されたデータに音漏れ低減用乗算器１６ａから供給されたデータを加算して、Ｄ／Ａ変換器１９ａへ供給する。また、上記加算器１８ｂは、オーバーフロー防止用乗算器１７ｂから供給されたデータに音漏れ低減用乗算器１６ｂから供給されたデータを加算して、Ｄ／Ａ変換器１９ｂへ供給する。
なお、図８におけるヘッドフォン部の構成は、図７におけるヘッドフォン部の構成と同じであるので説明は省略する。
【００１７】
この図８の構成のオーディオ再生装置とヘッドフォン部により、積和演算処理をＤ−Ｂｌｏｃｋ２０においてデジタル処理で行うことが出来るので、図７のようにアナログ素子を追加することで音漏れを低減する必要がなくなる。
【００１８】
ところで、これまでの説明では、音漏れ量が固定である場合について述べたが、図８の構成において、例えば、ユーザがヘッドフォンを変装した場合等、設定時より音漏れ比率が変更したときなどは、再度、１／Ｍ、１−１／Ｍの設定をやり直す必要が出てくる。しかし、この再度の音漏れ比率の設定を、メーカーがユーザからオーディオ再生装置とヘッドフォンを受け取って設定をやり直すのは、現実的な作業としては無理がある。
【００１９】
そこで、予め複数のヘッドフォンの音漏れ比率をオーディオ再生装置に設定しておき、
ユーザが使用するヘッドフォンに適切な音漏れ比率をユーザ自身がオーディオ再生装置で
選択出来るようなメニュー機能を持たせることで、オーディオ再生装置に高い汎用性を持たせるということも行っていた。
【発明の開示】
【発明が解決しようとする課題】
【００２０】
しかし、音漏れ比率を複数設定しておきメニュー機能で選択する手法では、オーディオ再生装置に予め設定されているヘッドフォンの音漏れ比率以外の音漏れ比率を持つヘッドフォンを使用する場合には、音漏れを低減することは出来ない。また、ヘッドフォンに延長コードを接続し、その延長コードをオーディオ再生装置に接続したときなどは、オーディオ再生装置に予め設定されている音漏れ比率を持つヘッドフォンを使用していたとしても、音漏れを十分に低減出来ない可能性もある。
【００２１】
上記したメニュー機能をオーディオ再生装置に持たせることで、ユーザは音漏れを或る程度低減出来ることになるが、上述した理由から全てのユーザが十分に音漏れを低減出来るとはいえなかった。
また、ユーザが使用するヘッドフォンの音漏れ比率が予めオーディオ再生装置に設定されている場合でも、ユーザは事前に使用するヘッドフォンの音漏れ比率を認識しておく必要があり、そのうえで使用するヘッドフォンの音漏れ比率をオーディオ再生装置のメニュー機能に設定されている中からユーザ自身が選択して設定を行う必要があった。
【課題を解決するための手段】
【００２２】
そこで、本発明では、オーディオ再生装置に用いるあらゆるヘッドフォンにおいて音漏れを低減出来るようにし、且つ、ユーザに余計な操作負担を掛けずに音漏れが低減できるようにすることを目的とする。
かかる目的を達成する本発明のオーディオ再生装置は、第１チャンネルオーディオ信号の入力端子と、第２チャンネルオーディオ信号の入力端子と、上記第１チャンネルオーディオ信号および上記第２チャンネルオーディオ信号に対して共通の接地端子とを備える３極端子と、上記第１チャンネルオーディオ信号の入力端子に接続され上記第１チャンネルオーディオ信号を出力する第１出力ユニットと、上記第２チャンネルオーディオ信号の入力端子に接続され上記第２チャンネルオーディオ信号を出力する第２出力ユニットと、を備えるオーディオ信号出力装置と接続されるオーディオ再生装置であって、先ず、上記オーディオ信号出力装置と上記３極端子を介して接続するための接続手段を備える。
また、第１チャンネルオーディオデータおよび第２チャンネルオーディオデータを含むオーディオコンテンツデータを記憶する記憶手段と、上記オーディオコンテンツデータを再生する再生手段とを備える。
また、上記再生手段により再生された上記オーディオコンテンツデータに含まれる上記第１チャンネルオーディオデータを上記第１チャンネルオーディオ信号に変換する第１の変換手段と、上記再生手段により再生された上記オーディオコンテンツデータに含まれる上記第２チャンネルオーディオデータを上記第２チャンネルオーディオ信号に変換する第２の変換手段とを備える。
さらに、上記第１チャンネルオーディオ信号を上記第１出力ユニットによって出力することによる上記第２出力ユニットにおける音漏れ量、または、上記第２チャンネルオーディオ信号を上記第２出力ユニットによって出力することによる上記第１出力ユニットにおける音漏れ量の、少なくとも何れかを計測する計測手段を備えるものである。
【００２３】
上記のように本発明では、計測手段によって第１チャンネルオーディオ信号または第２チャンネルオーディオ信号の少なくとも何れかの音漏れ量を計測することができるので、この計測結果に基づき音漏れ低減のための処理を行うことができる。
【発明の効果】
【００２４】
上記のようにして本発明によっては、実際に計測した音漏れ量に基づき、音漏れ低減のための処理ができるので、従来のように使用するヘッドフォンや延長コードを接続したときの音漏れ量を、ユーザが予め設定された複数の音漏れ量の中から選択する煩わしさが解消される。
また、従来のように予め設定された中から選ぶ場合とは異なり、理論上はすべてのヘッドフォン（ヘッドフォン・延長コードの組み合わせ）に対して適正に音漏れ低減を実現できる。
【発明を実施するための最良の形態】
【００２５】
以下、本発明を実施するための最良の形態（以下実施の形態とする）について説明していく。
【００２６】
図１は、本発明における実施の形態としてのオーディオ再生装置１００とこれに接続されるヘッドフォン３０とを含んで構成されるオーディオ再生システムの構成を示したブロック図である。なお、この図１では、主にヘッドフォン３０の内部構成を示している。
図１に示すへッドフォン３０の構成としては、ヘッドフォン側のＬｃｈ端子２６ｂと、ヘッドフォン側のＲｃｈ端子２８ｂと、Ｌ／Ｒの両ｃｈに流れる信号が帰還するＬｃｈ／Ｒｃｈ共通のヘッドフォン側のグランド端子２７ｂの３つの端子がある。
ヘッドフォン側のＬｃｈ端子２６ｂに対しては、抵抗ＲＸＬを介してスピーカ部ＨＬが接続されている。更に、上記スピーカ部ＨＬには、抵抗ＲＹＬと抵抗ＲＣＯＭとを介してヘッドフォン側のグランド端子２７ｂが接続されている。
ヘッドフォン側のＲｃｈ端子２８ｂに対しては、抵抗ＲＸＲを介してスピーカ部ＨＲが接続されている。更に、上記スピーカ部ＨＲには、抵抗ＲＹＲと上記抵抗ＲＣＯＭとを介して上記ヘッドフォン側のグランド端子２７ｂが接続されている。
また、オーディオ再生装置１００側には、オーディオ再生装置側のＬｃｈ端子２６ａと、オーディオ再生装置側のＲｃｈ端子２８ａと、オーディオ再生装置側のグランド端子２７ａの３端子があり、上記ヘッドフォン３０と３端子接続できる。
【００２７】
図２は、図１に示したオーディオ再生装置１００の内部構成について示すブロック図である。
図示するようにしてオーディオ再生装置１００は、Ａ／Ｄ変換器１ｂ、システムコントローラ２、メモリ部（フラッシュメモリ）３、デコーダ４、ＤＳＰ（Digital Signal Processor）５、操作部７、増幅部２５、オーディオ再生装置側のＬｃｈ端子２６ａ、オーディオ再生装置側のグランド端子２７ａ、オーディオ再生装置側のＲｃｈ端子２８ａ、抵抗ＲＺＬ、抵抗ＲＺＣ、抵抗ＲＺＲを有する。
【００２８】
メモリ部３は、書き換え可能かつシステムの電源供給が途絶えたときにも記憶したデータを保持できる不揮発性メモリであり、例えばフラッシュメモリとされる。本実施の形態の場合、このメモリ部３には、所定の音声圧縮方式により圧縮処理された圧縮オーディオデータが記憶される。
メモリ部３は、システムコントローラ２の指示に基づき圧縮オーディオデータを読出し、読出した圧縮オーディオデータをデコーダ部４へ供給する。
【００２９】
デコーダ部４は、メモリ部３から供給される圧縮オーディオデータの伸張処理を行う。さらに、伸張処理後のデータについて所定の復調処理を行い再生データにまでデコードする。これら伸張／復調処理により得られたＬｃｈオーディオデータおよびＲｃｈオーディオデータはＤＳＰ５に供給される。
【００３０】
ＤＳＰ５は、オーディオデータに対して各種の音声信号処理を行う。このＤＳＰ５内には、ＬｃｈオーディオデータおよびＲｃｈオーディオデータについての増幅処理や、Ｄ／Ａ変換などを行うためのＤ−Ｂｌｏｃｋ６が備えられる。
【００３１】
Ｄ−Ｂｌｏｃｋ６内には、オーバーフロー防止用乗算器８ａ，８ｂと音漏れ低減用乗算器９ａ、９ｂとＤ／Ａ変換器１０ａ，１０ｂと加算器１１ａ，１１ｂが備えられている。
Ｌｃｈオーディオデータは、オーバーフロー防止用乗算器８ａにおいて増幅され、加算器１１ａを介してＤ／Ａ変換器１０ａへ供給される。このＤ／Ａ変換器１０ａにおいてアナログ変換されたＬｃｈオーディオ信号は、増幅部２５内のアナログアンプ１２ａに供給される。
また、Ｒｃｈオーディオデータは、オーバーフロー防止用乗算器８ｂにおいて増幅され、加算器１１ｂを介してＤ／Ａ変換器１０ｂへ供給される。このＤ／Ａ変換器１０ｂにおいてアナログ変換されたＲｃｈオーディオ信号は、増幅部２５内のアナログアンプ１２ｂに供給される。
【００３２】
また、図示するようにして上記オーバーフロー防止用乗算器８ａに供給されるＬｃｈオーディオデータは、音漏れ低減用乗算器９ｂに対しても分岐して供給される。
さらに、上記オーバーフロー防止用乗算器８ｂに供給されるＲｃｈオーディオデータは、音漏れ低減用乗算器９ａに対しても分岐して供給される。
上記音漏れ低減用乗算器９ａは、後述するＲｃｈ基準信号（データ）の音漏れ比率１／Ｍに応じた利得をＲｃｈオーディオデータに乗算し、Ｒｃｈ基準信号を流したときのＬｃｈへの音漏れ量と等価の音漏れ消去信号（データ）を加算器１１ａへ供給する。
そして、上記音漏れ低減用乗算器９ｂは、こちらも後述するＬｃｈ基準信号の音漏れ比率１／Ｍに応じた利得をＬｃｈオーディオデータに乗算し、Ｌｃｈ基準信号を流したときのＲｃｈへの音漏れ量と等価の音漏れ消去信号（データ）を加算器１１ａへ供給する。
【００３３】
なお、上記オーバーフロー防止用乗算器８ａ，８ｂは、デジタル領域でのオーバーフローが生じないようＬｃｈ／Ｒｃｈの各オーディオデータに、それぞれ後述する係数１−１／Ｍを乗算する。
つまり、Ｌｃｈ／Ｒｃｈの各オーディオデータに、それぞれ音漏れ量を打ち消すための音漏れ消去信号を加算すると１＋１／Ｍとなるため、デジタル領域でオーバーフローをおこす危険性がある。予め係数１−１／Ｍを乗算しておけば、Ｌｃｈ／Ｒｃｈの各オーディオデータに音漏れ消去信号が加算された後の利得が１になるので、オーバーフローを防止することができる。
【００３４】
ここで、上記による説明では、便宜上、上記Ｄ−Ｂｌｏｃｋ６の機能をハードウェアとして示したが、実際には、デジタル信号処理により上記各種の機能が実現されるものである。
【００３５】
増幅部２５では、上記アナログアンプ１２ａと上記アナログアンプ１２ｂとにより、Ｌｃｈオーディオ信号およびＲｃｈオーディオ信号のそれぞれを増幅して出力する。増幅されたＬｃｈオーディオ信号は、抵抗ＲＺＬを介してオーディオ再生装置側のＬｃｈ端子２６ａへ、Ｒｃｈオーディオ信号は、抵抗ＲＺＲを介してオーディオ再生装置側のＲｃｈ端子２８ａへそれぞれ供給される。
【００３６】
ここで、図１に示すヘッドフォン３０に流されたＬｃｈ／Ｒｃｈ両オーディオ信号は、Ｌｃｈ／Ｒｃｈ共通のヘッドフォン側のグランド端子２７ｂへ帰還する。そして、上記ヘッドフォン側のグランド端子２７ｂから、図２に示すオーディオ再生装置側のグランド端子２７ａへ供給される。
上記オーディオ再生装置側のグランド端子２７ａとアースの間には、例えばフェライトビーズなどとされる抵抗ＲＺＣが接続されている。
【００３７】
システムコントローラ２は、例えば、ＣＰＵ（Central Processing Unit）、ＲＯＭ（Read Only Memory）、ＲＡＭ（Random Access Memory）などを備えたマイクロコンピュータで構成され、オーディオ再生装置１００の全体制御を行う。
上記ＲＯＭには、動作プログラムや各種処理に用いる定数、固定情報が記憶される。
上記ＲＡＭは、ワーク領域やプログラムのロード領域に用いられたり、一時的な情報の蓄積に用いられる。
例えば、このシステムコントローラ２は、後述する操作部７からの操作入力に基づき、上述したメモリ部３に各種データの読出しを実行させる。また、操作部７からの操作入力に基づき、ＤＳＰ５に音量調整等の音声信号処理を実行させる。
また、特に本実施の形態の場合、音漏れ低減のための処理も行うが、これについては後述する。
【００３８】
操作部７は、図示しない操作子等による入力デバイスであって、ユーザが各種操作入力やデータ入力を行う。操作部７で入力された情報は、システムコントローラ２に対して操作又はデータの入力情報として伝達される。システムコントローラ２は、この入力情報に基づき処理を実行する。
この操作部７には、例えば音量調整のための操作子などが備えられている。
また、特に本実施の形態の場合、この操作部７に設けられる操作子としては、音漏れ低減のための処理の開始を指示するための自動調整スイッチが備えられている。
【００３９】
ここで、これまでで説明したオーディオ再生装置１００とヘッドフォン３０によっては、３端子接続の形態が採られ、Ｌｃｈ／Ｒｃｈの両チャンネルはグランド端子を共通にしており、ここに抵抗ＲＣＯＭが接続されている。さらに、抵抗ＲＺＣがオーディオ再生装置側のグランド端子２７ａとアースの間に接続されている。そのため、上記ヘッドフォン３０には、先に説明した図６同様に音漏れが発生することになる。
【００４０】
そこで、本実施の形態のオーディオ再生装置１００では、このような音漏れを低減するために、先ずは、実際に生じる音漏れ量を計測するための手段を備える。具体的には、Ａ／Ｄ変換器１ｂを備える。このＡ／Ｄ変換器１ｂは、抵抗ＲＺＲの両端電圧を計測するようにして備えられる。例えば、Ｌｃｈに信号を流したときに、Ｒｃｈに発生する音漏れ信号が抵抗ＲＺＲに生じさせる電圧を音漏れ量として計測することが出来る。
【００４１】
このように計測される音漏れ量に基づき、上記オーディオ再生装置１００は音漏れ低減のための動作を行う。
以下、上記オーディオ再生装置１００における音漏れ低減のための動作を説明していく。
なお、以下の説明においては、Ｌｃｈにのみ基準信号（データ）を流したときの動作について例示する。また、このために音漏れ計測するＡ／Ｄ変換器については、Ａ／Ｄ変換器１ｂのみが備えられているものとして示している。
【００４２】
まず、音漏れ低減のための動作は、ユーザが操作部７において自動調整スイッチを操作することにより開始する。この入力情報はシステムコントローラ２へと伝達される。
【００４３】
システムコントローラ２は、上記入力情報に基づいて、例えば自らが備えるＲＯＭ等のメモリ内に格納されている１ｋＨｚの正弦波信号（データ）をＬｃｈ基準信号としてＤＳＰ５へ供給し、Ｌｃｈに出力する指示を行う。
【００４４】
ＤＳＰ５において上記Ｌｃｈ基準信号は、Ｄ／Ａ変換器１０ａにおいてアナログ変換され、増幅部２５内のアナログアンプ１２ａに供給される。そして、上記アナログアンプ１２ａから抵抗ＲＺＬを介してオーディオ再生装置側のＬｃｈ端子２６ａへ供給される。
【００４５】
そして、上記Ｌｃｈ基準信号は、図１に示すヘッドフォン３０のＬｃｈに流れ、Ｒｃｈに音漏れ信号Ｌ／Ｍを発生させる。このＲｃｈへの音漏れ信号Ｌ／Ｍが抵抗ＲＺＲに生じさせた電圧をＡ／Ｄ変換器１ｂが音漏れ量として計測する。
上記音漏れ量は、システムコントローラ２へ供給される。
【００４６】
システムコントローラ２は、上記音漏れ量と上記Ｌｃｈ基準信号とから、音漏れ比率１／Ｍを算出する処理を行う。そして、この音漏れ比率１／Ｍに応じた利得をＤ−Ｂｌｏｃｋ６内の音漏れ低減用乗算器９ｂへ設定する。
このように上記音漏れ低減用乗算器９ｂに音漏れ比率１／Ｍに応じた利得が設定されれば、再生オーディオデータが流されたときに、Ｒｃｈオーディオデータには、加算器１１ｂでＬｃｈオーディオデータに上記音漏れ低減用乗算器９ｂに設定されている利得を乗算することによって算出されるＲｃｈへの音漏れ信号と等価のＲｃｈ音漏れ消去信号Ｌｃが加算される。そして、このＲｃｈ音漏れ消去信号Ｌｃが加算されたＲｃｈオーディオ信号は、図１に示すヘッドフォン３０のＲｃｈへ流れることによりＲｃｈへの音漏れ信号Ｌ／Ｍと互いに信号を打ち消し合い、音漏れを低減することが出来る。
【００４７】
また、上記システムコントローラ２は、オーバーフロー防止用乗算器８ｂに、係数１−１／Ｍに応じた利得を設定する処理を行う。
このように上記オーバーフロー防止用乗算器８ｂに係数１−１／Ｍに応じた利得が設定されれば、上述したようにオーバーフローの防止がはかられる。
【００４８】
ここまで説明してきたように、本実施の形態のオーディオ再生装置１００において音漏れ低減のための動作を行うことによって音漏れを低減することが出来る。
続いて、上記オーディオ再生装置１００において行われる音漏れ低減のための動作を実現するために、システムコントローラ２が行う処理について、その一例を図３に示すフローチャートを参照して説明する。
なお、この図３に示す処理は、システムコントローラ２が例えば内蔵するＲＯＭ等のメモリに格納されるプログラムに基づいて実行するものである。
【００４９】
図３において、まずステップＦ１０１では、自動調整スイッチＯＮ操作を監視する。
操作部７における自動調整スイッチによる操作入力があったとされた場合は、ステップＦ１０２に処理を進める。
【００５０】
ステップＦ１０２においては、Ｌｃｈのみ基準信号の再生処理を実行する。
すなわち、システムコントローラ２内に格納されている、例えば１ｋＨｚの正弦波信号を音漏れ量計測のためのＬｃｈのみ基準信号として、ＤＳＰ５へ供給し、これを出力させる指示を行う。
【００５１】
続くステップＦ１０３では、Ｒｃｈの音漏れ量計測を実行する。
つまり、上記ステップＦ１０２においてＤＳＰ５へ供給したＬｃｈ基準信号が出力されるのに応じては、抵抗ＲＺＲにＲｃｈの音漏れ信号に応じた電圧を生じさせ、これをＡ／Ｄ変換器１ｂが音漏れ量として計測するので、その計測値を取得する処理を実行するものである。
【００５２】
そして、ステップＦ１０４では、基準信号と、その音漏れ量から音漏れ比率を計算する処理を行う。
つまり、上記ステップＦ１０２においてＤＳＰ５へ供給したＬｃｈ基準信号と、上記ステップＦ１０３においてＡ／Ｄ変換器１ｂより取得したＲｃｈの音漏れ量とから、音漏れの比率１／Ｍを算出する処理を実行する。
【００５３】
そして、ステップＦ１０５では、音漏れ低減用乗算器に１／Ｍを、オーバーフロー防止用乗算器に１−１／Ｍの係数を設定する処理を行う。
すなわち、上記ステップＦ１０４において算出した音漏れ比率１／Ｍに応じた利得を、音漏れ低減用乗算器９ｂに設定すると共に、オーバーフロー防止用乗算器８ｂに、係数１−１／Ｍに応じた利得を設定する。
【００５４】
なおこれまでは、説明の便宜上、Ｌｃｈにのみ信号を流して、Ｒｃｈに発生した音漏れを低減する例を示して説明してきたが、通常Ｌｃｈ／Ｒｃｈの両ｃｈから音声出力を行うので、Ｌｃｈ／Ｒｃｈの両ｃｈについて音漏れを低減することが要請される。
次の図４では、このように両ｃｈについて音漏れを低減出来る構成を示す。
なお、以下の説明ではＲｃｈに信号を流したときの音漏れ比率も１／Ｍとして説明していく。
【００５５】
図４に示すオーディオ再生装置１００は、図２に示したオーディオ再生装置１００にＡ／Ｄ変換器１ａを追加したものであり、その他の構成は同様となる。
上記Ａ／Ｄ変換器１ａは、抵抗ＲＺＬに生じる電圧を計測するようにして備えられる。
【００５６】
Ｌｃｈ／Ｒｃｈの双方ｃｈで低減するための動作としては、先ず、Ｌｃｈに信号を流したときのＲｃｈへの音漏れ信号を低減するための係数（利得）の設定を先の説明と同様に行う。その上で、Ｒｃｈについて音漏れ低減のための処理を行う。
Ｒｃｈ側の音漏れ低減のための動作としては、基準信号を、図１に示すヘッドフォン３０のＲｃｈに流すことによってＬｃｈに発生する音漏れ信号を計測する。
つまり、Ｌｃｈへの音漏れ信号が抵抗ＲＺＬに電圧を生じさせ、これをＡ／Ｄ変換器１ａが音漏れ量として計測する。計測された音漏れ量は、システムコントローラ２へ供給される。
【００５７】
システムコントローラ２は、音漏れ量とＲｃｈ基準信号とから、音漏れ比率１／Ｍを算出する処理を行う。この音漏れ比率１／Ｍに応じた利得をＤ−Ｂｌｏｃｋ６内の音漏れ低減用乗算器９ａへ設定する。
このように上記音漏れ低減用乗算器９ａに音漏れ比率１／Ｍに応じた利得が設定されれば、再生オーディオデータが流されたときに、Ｌｃｈオーディオデータには、加算器１１ａでＲｃｈオーディオデータに上記音漏れ低減用乗算器９ａに設定されている利得を乗算することによって算出されるＬｃｈへの音漏れ信号と等価のＬｃｈ音漏れ消去信号が加算される。そして、Ｌｃｈ音漏れ消去信号が加算されたＬｃｈオーディオ信号は、図１に示すヘッドフォン３０のＬｃｈへ流れることによりＬｃｈへの音漏れ信号と互いに信号を打ち消し合い、Ｒｃｈの音漏れを低減することが出来る。
【００５８】
また、上記システムコントローラ２は、オーバーフロー防止用乗算器８ａに、係数１−１／Ｍに応じた利得を設定する処理を行う。
このように上記オーバーフロー防止用乗算器８ａに係数１−１／Ｍに応じた利得が設定されれば、上述したようにオーバーフローの防止がはかられる。
【００５９】
なお、このように双方の音漏れを低減する場合にシステムコントローラ２が行うべき処理としては、まず、先の図３の処理を実行し、Ｌｃｈについての係数設定を行う。その後、Ｒｃｈ側について図３と同様の処理を実行すればよい。
すなわち、Ｒｃｈについて係数設定を行う処理としては、まず、Ｒｃｈのみ基準信号をＤＳＰ５へ供給する。そして、このＲｃｈのみ基準信号を流すことにより抵抗ＲＺＬに生じたＬｃｈの音漏れ信号をＡ／Ｄ変換器１ａが計測する。また、上記Ａ／Ｄ変換器１ａより取得した音漏れ量とＲｃｈのみ基準信号とから音漏れ比率１／Ｍを算出する。さらに、音漏れ比率１／Ｍに応じた利得を音漏れ低減用乗算器９ａに設定し、オーバーフロー防止用乗算器８ａに、係数１−１／Ｍに応じた利得を設定する。
【００６０】
上述してきたように、本実施の形態では、Ｌｃｈ／Ｒｃｈの両ｃｈに信号を流すことによって実際にＬｃｈ／Ｒｃｈの両ｃｈに発生する音漏れ量を計測することができる。そして、この計測した音漏れ量から音漏れ比率を算出して各乗算器へ設定する。
このような、本実施の形態の音漏れ低減のための処理動作は、先ずその開始指示をユーザが操作部７より行い、後は自動で処理が実行される。そして、計測された音漏れ量と等価の音漏れ消去信号がＬｃｈ／Ｒｃｈ両ｃｈの信号へ加算され、Ｌｃｈ／Ｒｃｈの両ｃｈに流されることで音漏れ量と音漏れ消去信号が互いに打ち消し合い、音漏れが低減できる。つまり、あらゆるヘッドフォンで音漏れを適正に低減でき、延長コードを使用した場合などでも音漏れを適正に低減出来るので、従来のようにユーザが使用するヘッドフォンや延長コードを使用した場合の音漏れ比率を、設定されている複数の音漏れ比率の中から選択する煩わしさが解消される。
【００６１】
また、本実施の形態においても、音漏れ低減のための処理を行うときに、積和演算処理をＤ−Ｂｌｏｃｋ６においてデジタル処理で行うことが出来るので、新たにアナログアンプ部等の素子を追加する必要がない。そのため、アナログ素子を追加することによって部品コストの増大、追加素子（回路）分の消費電力の増大や回路規模の増大を招くといった問題はなくなる。
【００６２】
以上、本発明の実施の形態について説明したが、本発明は、これまで説明してきた具体例にとらわれるものではない。
例えば、本実施の形態ではオーディオ再生装置１００を再生専用装置とする場合を例示したが、記録可能に構成することも出来る。記録が可能な場合、外部からの入力端子が備えられ、その入力端子からの入力音声信号をメモリ部３に記録することが可能な場合がある。そして、その場合、入力端子からの音声信号をＡ／Ｄ変換するＡ／Ｄ変換器が備えられることになる。
【００６３】
ここで、本実施の形態では、先の説明から理解されるように、音漏れを計測するためのＡ／Ｄ変換器を備える必要があるものとされるが、上記のような記録も可能な装置とされ、元々録音用のＡ／Ｄ変換器が備えられる場合には、このＡ／Ｄ変換器を音漏れ計測用として共用することも出来る。
【００６４】
図５は、このようにしてＡ／Ｄ変換器を共有するオーディオ再生装置のブロック図である。この図５では、主に図４に示したオーディオ再生装置１００に対して追加されるべき構成のみを抽出して示している。なお、図５において、すでに先の図２、図４にて説明した部分については同一の符号を付して説明を省略する。
先ず、この場合のオーディオ再生装置には、入力端子（オーディオ再生装置側のＬｒｅｃ−ｉｎ端子３１ａ、オーディオ再生装置側のＲｒｅｃ−ｉｎ端子３２ａ）が備えられ、外部からの音声信号を入力することができる。例えばこれら端子３１ａ、３２ａに対しては、図示するようにしてマイクロフォンのＬ／Ｒ端子を接続できる。なお、この場合、マイクロフォン側のＬ端子はＬｒｅｃ−ｉｎ３１ｂと示し、マイクロフォン側のＲ端子はＲｒｅｃ−ｉｎ３２ｂと示している。
【００６５】
また、この場合のオーディオ再生装置に対しては、上記オーディオ再生装置側のＬｒｅｃ−ｉｎ端子３１ａ、オーディオ再生装置側のＲｒｅｃ−ｉｎ端子３２ａからの入力に基づくオーディオデータを記録するための記録系の回路も設けられている（図示せず）。この記録系の回路は、供給されたオーディオデータを先の図４に示したメモリ部３に対して記録する。
【００６６】
そして、この場合のオーディオ再生装置に対しては、先の図４のオーディオ再生装置１００に追加されるべき構成として、図示するスイッチＳＷ−Ｌｉｎ、スイッチＳＷ−Ｒｉｎ、スイッチＳＷ−Ｌｏｕｔ、スイッチＳＷ−Ｒｏｕｔが備えられる。
【００６７】
これらスイッチＳＷ−Ｌｉｎ、スイッチＳＷ−Ｒｉｎ、スイッチＳＷ−Ｌｏｕｔ、スイッチＳＷ−Ｒｏｕｔの各スイッチは、端子ｔ１に対し端子ｔ２、端子ｔ３を択一的に選択可能なスイッチである。
先ず、スイッチＳＷ−Ｌｉｎにおいては、端子ｔ３がオーディオ再生装置側のＬｒｅｃ−ｉｎ端子３１ａに対して接続されている。また、スイッチＳＷ−Ｌｉｎの端子ｔ２が、抵抗ＲＺＬを介してオーディオ再生装置側のＬｃｈ端子２６ａに対して接続されている。そして、スイッチＳＷ−Ｌｉｎの端子ｔ１が、Ａ／Ｄ変換器１ａに対して接続されている。
Ａ／Ｄ変換器１ａに対しては、スイッチＳＷ−Ｌｏｕｔの端子ｔ１が接続されている。この、スイッチＳＷ−Ｌｏｕｔの端子ｔ３の出力は上述した記録系の回路へ供給され、端子ｔ２の出力はシステムコントローラ２に供給される。
【００６８】
また、スイッチＳＷ−Ｒｉｎの端子ｔ３が、オーディオ再生装置側のＲｒｅｃ−ｉｎ端子３２ａに対して接続されている。そして、スイッチＳＷ−Ｒｉｎの端子ｔ２が、抵抗ＲＺＲを介してオーディオ再生装置側のＲｃｈ端子２８ａに対して接続されている。さらに、スイッチＳＷ−Ｒｉｎの端子ｔ１が、Ａ／Ｄ変換器１ｂに対して接続されている。
Ａ／Ｄ変換器１ｂに対しては、スイッチＳＷ−Ｒｏｕｔの端子ｔ１が接続されている。また、スイッチＳＷ−Ｌｏｕｔの端子ｔ３の出力は記録系の回路へ供給され、端子ｔ２の出力はシステムコントローラ２に供給される。
【００６９】
この場合、オーディオ再生装置側のＬｒｅｃ−ｉｎ端子３１ａ、オーディオ再生装置側のＲｒｅｃ−ｉｎ端子３２ａからの入力信号の記録時に対応しては、システムコントローラ２が制御を行ってスイッチＳＷ−Ｌｉｎ、スイッチＳＷ−Ｒｉｎにおいて端子ｔ１に対して端子３を選択させる。これにより、Ａ／Ｄ変換器１ａ，１ｂは、入力オーディオ信号をオーディオデータへ変換する。また、これと共に記録時には、上記システムコントローラ２の制御により、スイッチＳＷ−Ｌｏｕｔ、スイッチＳＷ−Ｒｏｕｔにおいて端子ｔ１に対して端子３を選択させる。これにより、上記オーディオデータを記録系の回路へ供給することができる。
【００７０】
また、オーディオ再生装置側のＬｃｈ端子２６ａ、オーディオ再生装置側のＲｃｈ端子２８ａからの音漏れ信号に対して音漏れ低減のための動作を行う場合に対応しては、システムコントローラ２が制御を行ってスイッチＳＷ−Ｌｉｎ、スイッチＳＷ−Ｒｉｎにおいて端子ｔ１に対して端子２を選択させる。これにより、Ａ／Ｄ変換器１ａ，１ｂは、抵抗ＲＺＬ、抵抗ＲＺＲに生じる電圧を音漏れ量として計測することができる。また、これと共に音漏れ計測時には、上記システムコントローラ２の制御により、スイッチＳＷ−Ｌｏｕｔ、スイッチＳＷ−Ｒｏｕｔにおいて端子ｔ１に対して端子２を選択させる。これにより、上記Ａ／Ｄ変換器１ａ，１ｂが計測した音漏れ量を上記システムコントローラ２に供給することができる。
【００７１】
このように、スイッチＳＷ−Ｌｉｎ、スイッチＳＷ−Ｌｏｕｔ、スイッチＳＷ−Ｒｉｎ、スイッチＳＷ−Ｒｏｕｔを設けたことで、Ａ／Ｄ変換器１ａ，１ｂを記録時と音漏れ計測時で共有することが出来る。
【００７２】
上述したような、記録可能なオーディオ再生装置であれば、予めＡ／Ｄ変換器は備えられているので、音漏れ量を計測するにあたり、新たにＡ／Ｄ変換器を設ける必要はなく、抵抗ＲＺＬ、抵抗ＲＺＲとスイッチＳＷ−Ｌｉｎ、スイッチＳＷ−Ｌｏｕｔ、スイッチＳＷ−Ｒｉｎ、スイッチＳＷ−Ｒｏｕｔを追加して設けるだけでよい。
これら、Ａ／Ｄ変換器１ａ，１ｂは、比較的高価で、且つ、そのサイズも比較的大型であることから、予め備えられているＡ／Ｄ変換器１ａ，１ｂを共用することで、コストを抑えることができ、回路の実装スペースの拡大防止も図られる。
【００７３】
ここで、先の図４に示した本実施の形態のオーディオ再生装置１００においては、音漏れを低減させるための処理を開始する場合、ユーザが音漏れ低減のための処理を開始する操作入力を操作部７より行って、その入力情報に基づいてシステムコントローラ２が音漏れ低減のための処理を開始していた。
この手法以外にも、オーディオ再生装置１００の端子の接続部にメカスイッチ等の検出部を備え、図１に示したヘッドフォン３０の３端子が接続されたか否かの検出を行い、その検出結果に基づいて自動的に開始するようにしてもよい。
つまり、本実施の形態のオーディオ再生装置１００とヘッドフォン３０が３端子接続される接続部において、オーディオ再生装置１００側の接続部に検出部を設けて、ヘッドフォン３０の３端子がオーディオ再生装置１００の３端子に接続されると、この接続部が端子の接続を検出し、その検出信号をシステムコントローラ２へ供給するように構成する。この場合のシステムコントローラ２においては、上記検出部からの検出信号に基づき、ヘッドフォン３０の３端子がオーディオ再生装置１００の３端子に接続されているか、接続されていないかの判別を行う。そして、接続されていると判別された場合に、音漏れを低減させるための処理を開始するものである。
【００７４】
また、このように検出部からの検出信号に基づき開始する以外にも、電源がＯＮとなったタイミングで音漏れを低減させるための処理を開始するものとしてもよい。
【００７５】
また、これまでの説明では、図１に示したヘッドフォン３０が図４に示したオーディオ再生装置１００に対して直接的に接続される場合について説明したが、例えば以下のようにして、ヘッドフォン３０がオーディオ再生装置１００に対して直接的に接続されない場合も考えられる。
例えば近年では、オーディオ再生機能１００を有する携帯電話機が普及しているが、このように携帯電話機を用いてオーディオ再生を行う場合、ヘッドフォン３０としては、携帯電話機のヘッドフォンジャックに対して直接的に接続されず、例えば携帯電話機とブルートゥース（Bluetooth）などの無線通信によりデータ通信が可能とされた音声出力ユニットに対して接続されて用いられることがある。つまりこの場合、携帯電話機から再生されたオーディオデータは無線により上記出力ユニットに対して送信された後、この出力ユニットに対して接続されたヘッドフォン３０から出力されることになる。このようなオーディオ再生形態とすることで、例えばユーザは携帯電話機を鞄などの中に入れたままとし、比較的小型な上記出力ユニットのみをヘッドフォンを装着できる範囲内で携帯すればよいものとすることができる。
そして、このようなオーディオ再生形態とされる場合においても、上記出力ユニットとヘッドフォン３０とが３端子接続される場合には、先に例示したものと同様の音漏れが生じる可能性がある。その場合としても、音漏れ低減を図るとした場合には、携帯電話機本体の制御部（マイクロコンピュータなど）が、先に例示したものと同様の音漏れ低減のための処理を実行すればよい。
但しこの場合、音漏れ量の計測のためのＡ／Ｄ変換器１ａ，１ｂ（計測手段）は、上記出力ユニット内において、Ｌ／Ｒの出力端子の前段に備えられるべき抵抗（抵抗ＲＺＬ,抵抗ＲＺＲに相当）の両端電圧を検出するようにして備えられるべきものとなる。
また、計測のために出力すべき基準信号は、例えばブルートゥースなどの無線通信部を介して上記出力ユニットに対して送信して出力させるようにする。
なお、音漏れ比率に応じた係数の設定は、先に述べた具体例と同様に、本体側に設けられたＤ−Ｂｌｏｃｋ６内の音漏れ低減用乗算器９ａ，９ｂおよびオーバーフロー防止用乗算器８ａ，８ｂに対して行うようにしておけばよい。これによって上記出力ユニットに対しては低減処理の施されたオーディオデータを供給でき、先の具体例の場合と同様に音漏れの低減を図ることができる。
【００７６】
また、本実施の形態では、音漏れ量を計測するための基準信号を１ｋＨｚの正弦波信号としてシステムコントローラ２内に格納していた。
しかし、この基準信号は１ｋＨｚの正弦波信号以外でもよい。
また、基準信号をシステムコントローラ２内ではなく、メモリ部３に格納するなど、基準信号の格納場所は限定されるものではない。
さらに、基準信号を予め格納していなくても、信号発生器などで随時生成することも可能である。
【００７７】
また、本実施の形態では、Ｌｃｈの次にＲｃｈに基準信号を流して音漏れ低減のための処理を行う例を説明したが、この順番を逆にしてＲｃｈの次にＬｃｈに基準信号を流して音漏れ低減のための処理を行ってもよい。
【００７８】
また、本実施の形態では、Ｌｃｈ／Ｒｃｈの片側ずつ順番に基準信号を流して音漏れ低減のための処理を行う例を説明したが、Ｌｃｈ／Ｒｃｈの両ｃｈ同時に基準信号を流して音漏れ低減のための処理を行ってもよい。その場合は、Ｌｃｈ／Ｒｃｈの両ｃｈに流す基準信号の周波数をそれぞれ別々の周波数として流すようにすればよい。
例えば、Ｌｃｈ基準信号を１００Ｈｚとし、Ｒｃｈ基準信号を１ｋＨｚとして同時に流したとする。このときＬｃｈ側では、Ｌｃｈに流れる基準信号（周波数１００Ｈｚ）にＲｃｈからの音漏れ信号（周波数１ｋＨｚ）が重畳した信号が得られることになる。そこで、例えば、周波数分離器などを用いてＲｃｈからの音漏れ信号（周波数１ｋＨｚ）のみを抽出（分離）し、これをＬｃｈへの音漏れ量として用いる。
また、同様にＲｃｈ側においては、Ｒｃｈに流れる基準信号（周波数１ｋＨｚ）にＬｃｈからの音漏れ信号（周波数１００Ｈｚ）が重畳した信号が得られることになるので、Ｌｃｈからの音漏れ信号（周波数１００Ｈｚ）のみを抽出（分離）して、Ｒｃｈの音漏れ量として用いるものとすればよい。
例えば、このようにして、Ｌｃｈ／Ｒｃｈの両ｃｈに流す基準信号の周波数を別々の周波数としておくことで、Ｌｃｈ／Ｒｃｈの両ｃｈを同時に流しても音漏れ量を適切に計測出来る。
【００７９】
また、図４に示したオーディオ再生装置１００においては、Ｌｃｈ／Ｒｃｈの片側ずつ、それぞれ音漏れ比率を算出していた。
しかし、Ｌｃｈ／Ｒｃｈの両ｃｈのうち、どちらか一方のみの音漏れ比率を算出して、その音漏れ比率を代表値とし、他方のｃｈの音漏れ比率に設定することも出来る。
つまり、どちらか一方のｃｈのみに基準信号を流して、実際に他方のｃｈに発生した音漏れ信号を音漏れ量として計測し、音漏れ比率を算出する。この算出された音漏れ比率を代表値として、基準信号を流して実際に音漏れ比率を算出していない側のｃｈの音漏れ比率として採用するものである。
【００８０】
また、上述したように代表値を設定した後、この代表値を設定した方のｃｈにおいて、音漏れ比率の再設定を行うようにしてもよい。
つまり、この代表値を設定した方のｃｈにおいて、実際に計測した音漏れ信号を基に音漏れ比率を算出し、代表値として設定している音漏れ比率との差分を埋めて、音漏れ比率を再設定するものである。
【図面の簡単な説明】
【００８１】
【図１】本発明における実施の形態としてのオーディオ再生システムの内部構成について示したブロック図である。
【図２】実施の形態のオーディオ再生装置の片ｃｈのみの内部構成について示したブロック図である。
【図３】実施の形態としての動作を実現するための処理動作について示したフローチャートである。
【図４】実施の形態のオーディオ再生装置の内部構成について示したブロック図である。
【図５】実施の形態の変形例のオーディオ再生装置の内部構成について示したブロック図である。
【図６】従来例のオーディオ再生装置とヘッドフォンの内部構成について示したブロック図である。
【図７】従来の他の例のオーディオ再生装置とヘッドフォンの内部構成について示したブロック図である。
【図８】従来のさらに他の例のオーディオ再生装置とヘッドフォンの内部構成について示したブロック図である
【符号の説明】
【００８２】
１ａ，１ｂ  Ａ／Ｄ変換器、２  システムコントローラ、３  メモリ部（フラッシュメモリ）、４  デコーダ、５  ＤＳＰ、６  Ｄ−Ｂｌｏｃｋ、７  操作部、８ａ，８ｂ，１７ａ，１７ｂ  オーバーフロー防止用乗算器、９ａ，９ｂ，１６ａ，１６ｂ  音漏れ低減用乗算器、１２ａ，１２ｂ，１３ａ，１３ｂ，１４ａ，１４ｂ，１５ａ，１５ｂ，２１ａ，２１ｂ  アナログアンプ、１０ａ，１０ｂ，１９ａ，１９ｂ  Ｄ／Ａ変換器、１１ａ,１１ｂ,１８ａ,１８ｂ  加算器、２５  増幅部、２６ａ  オーディオ再生装置側のＬｃｈ端子、２６ｂ  ヘッドフォン側のＬｃｈ端子、２７ａ  オーディオ再生装置側のグランド端子、２７ｂ  ヘッドフォン側のグランド端子、２８ａ  オーディオ再生装置側のＲｃｈ端子、２８ｂ  ヘッドフォン側のＲｃｈ端子、３０  ヘッドフォン、３１ａ  オーディオ再生装置側のＬｒｅｃ−ｉｎ端子、３１ｂ  マイクロフォン側のＬｒｅｃ−ｉｎ端子、３２ａ  オーディオ再生装置側のＲｒｅｃ−ｉｎ端子、３２ｂ  マイクロフォン側のＲｒｅｃ−ｉｎ端子、１００  オーディオ再生装置
【図１】
2008098737.tif 000003
【図２】
2008098737.tif 000004
【図３】
2008098737.tif 000005
【図４】
2008098737.tif 000006
【図５】
2008098737.tif 000007
【図６】
2008098737.tif 000008
【図７】
2008098737.tif 000009
【図８】
2008098737.tif 000010